(57)【要約】      （修正有）【課題】照度及び規範の要求を満たし、コストが低い幅広反射体構造を提供する。【解決手段】幅広反射体構造は、反射カップ、金属ヒートシンク体、および、導熱ベースからなり、導熱ベースは嵌槽を設置し、金属ヒートシンク体を固定する。金属ヒートシンク体外縁は、ＬＥＤ平面光源発光特性に符合する反射カップを固設し、その特徴は、少なくとも一つの反光素子を反射カップ内に設置し、反光素子は曲面を有し、ＬＥＤ正面発光特性に対し、中間が強すぎる光線を、反光素子の曲面により横に反射させ、照射領域の光線の幅を増加し、且つ、照射面の照度を均一にし、光効率が高く、低消耗が達成される。【選択図】図３
0003151749.tif 000002
【実用新案登録請求の範囲】
【請求項１】
幅広反射体構造であって、反射カップ、金属ヒートシンク体、および、導熱ベースからなり、前記導熱ベースは嵌槽を設置し、前記金属ヒートシンク体を固定し、前記金属ヒートシンク体外縁は、LED平面発光特性に符合する反射カップを設置し、その特徴は、少なくとも一つの反光素子を前記反射カップ内に設置し、前記反光素子は曲面を有し、LED正面発光特性に対し、中間が強すぎる光線を、前記反光素子の曲面により横に反射させ、照射領域の光線の幅を増加し、且つ、照射面の照度を均一にすることを特徴とする幅広反射体構造。
【請求項２】
前記金属ヒートシンク体上に、LED平面発光特性に符合する導光面を設置することを特徴とする請求項１に記載の幅広反射体構造。  
【請求項３】
前記金属ヒートシンク体は、穿孔を設置して、LEDチップを設置することを特徴とする請求項１に記載の幅広反射体構造。
【請求項４】
前記反射カップ内に反光曲面を設置することを特徴とする請求項１に記載の幅広反射体構造。
【請求項５】
前記反射カップ内の両側辺は、嵌槽を設置して、前記反光素子を組み合わせることを特徴とする請求項１に記載の幅広反射体構造。
【考案の詳細な説明】
【技術分野】
【０００１】
本考案は、幅広反射体構造に関するものであって、特に、反光素子を反射カップの中央の適当な位置に設置し、LED正面発光特性に対し、中央が強い光線が反光素子の曲面を経て横に反射し、照射領域の光線の幅を増加し、且つ、照射面の照度を均一にする効果を達成する幅広反射体構造に関するものである。
【背景技術】
【０００２】
LEDランプは各種照明光源に幅広く応用されていて、公知技術では、ランプカバー内表面の反射光線を利用して、光線利用率を向上させ、輝度を増加している。中華民国（台湾）の特許第３４７６８０号で、LEDランプ源の光形は楕円形で、中央光線の集中強度が強く、横の光線が微弱である状況が発生し、図１で示されるように、一部の照明、特に、道路照明等の要求を満たすことが出来ず、照射領域の幅が不足する。また、ある角度配列の直射方式を利用すれば、照度要求を満たすことができるかもしれないが、眩光、目への刺激がひどすぎて、規範の要求を満たすことが出来ず、また、構造が複雑、コストが高いという欠点がある。
【考案の概要】
【考案が解決しようとする課題】
【０００３】
本考案は、曲面により光線を反射し、照射領域の光線幅を増加する幅広反射体構造を提供することを目的とする。
【課題を解決するための手段】
【０００４】
上述の目的を達成するため、本考案の構造は、反射カップ、金属ヒートシンク体、および、導熱ベースからなり、導熱ベースは嵌槽を設置し、金属ヒートシンク体を固定する。金属ヒートシンク体上に、LED平面発光特性に符合する導光面を設置して、光線出力角度を変化させて、光学効率を向上させる。金属ヒートシンク体は、導熱がよく、熱容量が大きい導熱体であり、LEDチップの熱量を快速に吸収すると共に、大きい表面積により導熱ベース上に拡散して、金属ヒートシンク体上のLEDチップが生成する熱エネルギーを快速に発散させ、LEDチップ温度を大幅に低下させる。金属ヒートシンク体外縁は、LED平面光源発光特性に符合する反射カップを固設する。その特徴は、少なくとも一つの反光素子を反射カップ内に設置し、反光素子は曲面を有し、LED正面発光特性に対し、中間が強すぎる光線を、反光素子の曲面により横に反射させ、照射領域の光線の幅を増加し、且つ、照射面の照度を均一にし、光効率が高く、低消耗が達成される。
【考案の効果】
【０００５】
本考案により、照射領域の光線の幅を増加し、且つ、照射面の照度を均一にし、光効率が高く、低消耗が達成される。
【図面の簡単な説明】
【０００６】
【図１】公知のランプ具を示す図である。
【図２】本考案の立体組み立て図である。
【図３】本考案の立体分解図である。
【図４】本考案の断面図である。
【図５】本考案の導光実施例を示す図である。
【図６】本考案の実施例を示す図である。
【考案を実施するための形態】
【０００７】
図２〜図４は、本考案の幅広反射体構造を示す図で、反射カップ１、金属ヒートシンク体２、および、導熱ベース３、からなる。導熱ベース３は嵌槽３１と貫通孔３２を設置し、嵌槽３１は、金属ヒートシンク体２を固定し、貫通孔３２は、ねじでランプ具を鎖合し、且つ、嵌槽３１内に通孔３０を設置する。金属ヒートシンク体２上に、LED平面発光特性に符合する導光面２１を設置して、光線出力角度を変化させ、光学効率を向上させると共に、穿孔２０を設置して、LEDチップ１０を設置する。金属ヒートシンク体２は導熱がよく、熱容量が大きい導熱体であり、LEDチップ１０の熱量を快速に吸収すると共に、大きい表面積により導熱ベース３上に拡散して、金属ヒートシンク体２上のLEDチップ１０が生成する熱エネルギーを快速に発散させ、LEDチップ１０温度を大幅に低下させる。金属ヒートシンク体２外縁は、LED平面光源発光特性に符合する反射カップ１を固設し、反射カップ１は中空状で、内に、反光曲面１１を設置し、反射カップ１の一端口は凹縁１２を設置し、もう一端口は、金属ヒートシンク体２外縁と結合する切面１３を設置する。その特徴は、少なくとも一つの反光素子４を反射カップ１内に設置し、反射カップ１内の両側辺は嵌孔１４を設置して、反光素子４を組み合わせ、反光素子４は特殊曲面４０を有する。
図５と図６で示されるように、本考案は、各種照明設備、例えば、街灯５等に応用され、反光素子４は反射カップ１の中央の適当な位置に設置され、LED正面発光特性にとって、中間が強すぎる光線は、反光素子４の曲面４０により横に反射して、照射領域の光線の幅を増加し、且つ、照射面の照度を均一にし、光効果が高く、低消耗を達成する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
反射カップ１
金属ヒートシンク体２
導熱ベース３
反光素子４
LEDチップ１０
反光曲面１１
凹縁１２
切面１３
嵌孔１４
穿孔２０
導光面２１
通孔３０
嵌槽３１
貫通孔３２
特殊曲面４０
【図１】
0003151749.tif 000003
【図２】
0003151749.tif 000004
【図３】
0003151749.tif 000005
【図４】
0003151749.tif 000006
【図５】
0003151749.tif 000007
【図６】
0003151749.tif 000008